(57)【要約】【課題】被記録材の排出部にオプション装置を装着した状態と、装着しない状態とで同じ排出用スタッカーが使用でき、更に排出ガイドの起立姿勢への切替えを自動的に行える。【解決手段】被記録材の排出部に設けられ、排出された被記録材の支持高さを第一ポジションと第二ポジションとに切り替える排出ガイドを備えた着脱式の排出用スタッカーと、前記排出部に排出用スタッカーを外した状態で装着されるオプション装置と、ロール状被記録材を記録実行領域側に向けて搬送するロール材搬送装置とを備えた記録装置であって、前記オプション装置が装着された状態における該オプション装着装置の被記録材排出側に前記排出用スタッカーが着脱可能に構成され、前記オプション装置が装着された状態の前記被記録材排出側に前記排出用スタッカーを装着する際に、第一ポジションに位置している前記排出ガイドを自動的に第二ポジションに移動させる自動起立機構を備える。【選択図】図５
2011079621.tif 000002
【特許請求の範囲】
【請求項１】
被記録材の排出部に設けられ、排出された被記録材の支持高さを第一ポジションと該第一ポジションより高い第二ポジションとに切り替える排出ガイドを備えた着脱式の排出用スタッカーと、
前記排出部から排出された被記録材に対してオプション機能を実行する場合に、該排出部に前記排出用スタッカーを外した状態で装着されるオプション装置と、
ロール状に巻かれた被記録材を記録実行領域及び前記排出部に向けて搬送するロール材搬送装置と、を備えた記録装置であって、
該記録装置は、
前記オプション装置が装着された状態における該オプション装着装置の被記録材排出側に前記排出用スタッカーが着脱可能に構成され、
前記オプション装置が装着された状態の前記被記録材排出側に前記排出用スタッカーを装着する際に、前記第一ポジションに位置している前記排出ガイドを自動的に第二ポジションに移動させる自動起立機構を備えていることを特徴とする記録装置。
【請求項２】
請求項１に記載の記録装置において、前記排出ガイドは、
回動軸を中心に所定角度の範囲で回動するシフトレバーと、
一端が前記シフトレバーの回動自由端に対して回動自在に接続され、他端が前記排出用スタッカーの支持面に形成されている排出方向に延びる係合溝に摺接して往復移動するガイドスロープと、を備えていることを特徴とする記録装置。
【請求項３】
請求項２に記載の記録装置において、前記自動起立機構は、
前記シフトレバーの回動基端部に設けられている当接作用部と、
前記オプション装置が装着された状態で前記排出用スタッカーを装着する際の該排出用スタッカーの移動軌跡上に設けられ、前記当接作用部と当接することで前記シフトレバーを起立方向に回動させる突起と、を備えていることを特徴とする記録装置。
【請求項４】
請求項３に記載の記録装置において、前記突起は、
倒伏姿勢の前記シフトレバーを起立姿勢に移動させる場合に作用する回動作用部と、
前記シフトレバーの起立姿勢を維持して、前記排出ガイドの第二ポジションを固定する場合に作用する固定作用部と、を備えていることを特徴とする記録装置。
【請求項５】
請求項１〜４のいずれか１項に記載の記録装置において、
前記ロール材搬送装置の他に所定の規格サイズにカットされた被記録材を記録実行領域及び前記排出部に向けて搬送するカット材搬送装置を備えていることを特徴とする記録装置。
【請求項６】
請求項１〜５のいずれか１項に記載の記録装置において、
前記排出用スタッカーの支持面には、支持高さが前記第一ポジションと第二ポジションの中間位置に設定され、排出方向に向って下り傾斜の固定ガイドスロープが設けられていることを特徴とする記録装置。
【発明の詳細な説明】
【技術分野】
【０００１】
本発明は、被記録材の排出部に排出された被記録材の支持高さを可変とする排出ガイドを備えた着脱式の排出スタッカーを有する記録装置に係り、特に被記録材の排出部にオプション装置が搭載可能な記録装置に対して好適な記録装置に関する。
【背景技術】
【０００２】
以下、記録装置の一例としてインクジェットプリンターを例に採って説明する。インクジェットプリンターの中には、下記の特許文献１及び図１３、図１４に示すように、被記録材（以下、「用紙」ともいう）Ｐの排出部に排出された用紙Ｐの支持高さＨを変更し得る排出ガイド１０１を備えた着脱式の排出用スタッカー１０３を有するインクジェットプリンター１０５が存在する。  
また、前記排出ガイド１０１は、ロール状に巻かれた用紙（以下、「ロール紙」ともいう）Ｒが排出されるとき、当該用紙Ｒには排出用スタッカー１０３の支持面１０７側に湾曲するカール癖１０９が通常付いている。そこで、当該カール癖１０９によって排出用スタッカー１０３上で丸まる排出不良（図１３の実線参照）を防止するために設けられている。
【０００３】
即ち、ロール紙Ｒに対して記録を実行する場合には、手動操作で排出ガイド１０１を排出用スタッカー１０３上から起こして排出直後の用紙Ｒの支持高さＨを、図１４に示すように高くすることで、前記カール癖１０９による用紙Ｒの排出不良を防止するようにしている。  
一方、所定の規格サイズにカットされた用紙（以下、「単票紙」ともいう）に対して記録を実行する場合には、手動操作で排出ガイド１０１を排出用スタッカー１０３側に倒して、図１３に示すように排出用スタッカー１０３内に格納された平坦な姿勢にして単票紙の連続した複数枚印刷に対応して、それらを受けて複数枚を保持することができるようになっている。
【０００４】
また、インクジェットプリンターの中には、前記被記録材の排出部の排出用スタッカー上のスペースを利用して測色機等のオプション装置が搭載可能なインクジェットプリンターが存在する。  
そして、このようなインクジェットプリンターの場合には排出用スタッカーの基部側を覆うように前記オプション装置が装着されるため、排出用スタッカーの基部側に排出ガイドを備える前記着脱自在の排出用スタッカーをそのまま使用することはできなかった。従って、オプション装置装着時には、専用の別途の排出用スタッカーが必要とされていた。
【先行技術文献】
【特許文献】
【０００５】
【特許文献１】特開２００４−３３１２５２号公報
【発明の概要】
【発明が解決しようとする課題】
【０００６】
しかし、同じインクジェットプリンターで、オプション装置を使用する場合と使用しない場合とで別々の排出用スタッカーを用意し、これらの排出用スタッカーを付け替えて使用することは煩雑であり、ユーザーによる誤装着を招き易すい。  
また、基本的な機能が同じである複数の排出用スタッカーを用意することは合理的でなく、製品コストの増大を招いたり、未使用の排出用スタッカーの設置スペースの確保を困難にし、設計の標準化の要請にも反する。
【０００７】
また、排出用スタッカーの基端側に設けられている排出ガイドをオプション装置が装着された状態で指で摘まんで上方に引き起こす操作は困難であり、ユーザーの誤使用による用紙の排出不良を増大させる要因となっていた。
【０００８】
本発明の課題は、被記録材の排出部にオプション装置を装着した状態と、装着しない状態とで同じ排出用スタッカーが使用でき、更に排出ガイドの起立姿勢への切替えを自動的に行えるようにすることにある。
【課題を解決するための手段】
【０００９】
前記課題を解決するために本発明の第１の態様は、被記録材の排出部に設けられ、排出された被記録材の支持高さを第一ポジションと該第一ポジションより高い第二ポジションとに切り替える排出ガイドを備えた着脱式の排出用スタッカーと、前記排出部から排出された被記録材に対してオプション機能を実行する場合に、該排出部に前記排出用スタッカーを外した状態で装着されるオプション装置と、ロール状に巻かれた被記録材を記録実行領域及び前記排出部に向けて搬送するロール材搬送装置とを備えた記録装置であって、該記録装置は、前記オプション装置が装着された状態における該オプション装着装置の被記録材排出側に前記排出用スタッカーが着脱可能に構成され、前記オプション装置が装着された状態の前記被記録材排出側に前記排出用スタッカーを装着する際に、前記第一ポジションに位置している前記排出ガイドを自動的に第二ポジションに移動させる自動起立機構を備えていることを特徴とするものである。
【００１０】
本態様によれば、前記オプション装置が装着された状態の前記被記録材排出側に前記排出用スタッカーを装着する際に、該排出用スタッカーの装着動作によって排出ガイドが第一ポジションから第二ポジションに自動的に移動する自動起立機構が配設されている。従って、オプション装置が装着されている状態で、排出ガイドを第一ポジションのまま使用して、ロール紙のカール癖に基づく排出不良が発生する虞を低減することができる。  
また、同じ排出用スタッカーが、オプション装置を装着している場合と装着していない場合の両方の場合に使用できるから、オプション装置装着時に使用する別途の専用の排出用スタッカーが不要となり、排出用スタッカーの管理が合理的に行われ、排出用スタッカーの誤装着が防止される。
【００１１】
本発明の第２の態様は、前記第１の態様の記録装置において、回動軸を中心に所定角度の範囲で回動するシフトレバーと、一端が前記シフトレバーの回動自由端に対して回動自在に接続され、他端が前記排出用スタッカーの支持面に形成されている排出方向に延びる係合溝に摺接して往復移動するガイドスロープと、を備えていることを特徴とするものである。
【００１２】
本態様によれば、シフトレバーを倒した倒伏姿勢では、ガイドスロープを係合溝内に格納して排出用スタッカーの支持面が被記録材の支持高さとなる第一ポジションに移行する。一方、シフトレバーを起こした起立姿勢では、シフトレバーの回動自由端と接続されているガイドスロープの一端の支持高さが第二ポジションとなり、他端の支持高さが第一ポジションとなる排出方向に下り傾斜のスロープが形成される。従って、簡単、コンパクトで操作が容易な排出ガイドを構成できる。  
また、オプション装置非装着時の排出ガイドの手動操作が容易になり、オプション装置装着時の排出ガイドの第二ポジションから第一ポジションへの手動による移動操作も容易になる。
【００１３】
本発明の第３の態様は、前記第２の態様の記録装置において、前記シフトレバーの回動基端部に設けられている当接作用部と、前記オプション装置が装着された状態で前記排出用スタッカーを装着する際の該排出用スタッカーの移動軌跡上に設けられ、前記当接作用部と当接することで前記シフトレバーを起立方向に回動させる突起と、を備えていることを特徴とするものである。
【００１４】
本態様によれば、当接作用部と突起を所定の位置に設けるだけの簡単な構成によって自動起立機構を構成でき、シフトレバーを回動させるための別途の動力等は使用していない。従って、自動起立機構を簡単、コンパクトに構成でき、記録装置の小型、軽量化と製品コストの削減に寄与し得る。
【００１５】
本発明の第４の態様は、前記第３の態様の記録装置において、倒伏姿勢の前記シフトレバーを起立姿勢に移動させる場合に作用する回動作用部と、前記シフトレバーの起立姿勢を維持して、前記排出ガイドの第二ポジションを固定する場合に作用する固定作用部と、を備えていることを特徴とするものである。
【００１６】
本態様によれば、突起の回動作用部に当接作用部が当接することで第一ポジションに位置していた排出ガイドを第二ポジションに移動させることが可能となる。また、固定作用部に当接作用部が当接することでシフトレバーの回動が規制されるから、排出ガイドは第二ポジションに固定された状態になる。従って、ロール状に巻かれた被記録材のみに記録を実行するロール材専用機等に好適な排出ガイドを第二ポジションのみで使用する記録装置に対応した排出ガイドを提供できるようになる。
【００１７】
前記第１の態様から第４の態様いずれか１つの態様の記録装置において、前記排出用スタッカーの装着位置は、前記オプション装置を装着しないときは、奥部側の第１装着位置となり、前記オプション装置を装着するときは、手前側の第２装着位置となるように、装着位置を異にする少なくとも２組の保持部が設けられていることで以下の効果が得られる。
【００１８】
前記少なくとも２組の保持部によって、オプション装置を装着しないときは奥部側の第１装着位置、オプション装置を装着したときは手前側の第２装着位置に排出用スタッカーを装着できる。従って、オプション装置を装着した場合に隠れる排出用スタッカーの基部側の領域が小さくなって、排出用スタッカーの基部側に設けられている排出ガイドの操作が容易になる。
【００１９】
本発明の第５の態様は、前記第１の態様から第４の態様のいずれか１つの態様の記録装置において、前記ロール材搬送装置の他に所定の規格サイズにカットされた被記録材を記録実行領域及び前記排出部に向けて搬送するカット材搬送装置を備えていることを特徴とするものである。
【００２０】
本態様によれば、ロール状に巻かれた被記録材と、所定サイズにカットされた被記録材の両方に対して記録を実行することができる記録装置に対して、前記第１の態様から第４の態様と同様の作用効果を得ることができる他に以下の効果が得られる。オプション装置を装着した状態でロール状に巻かれた被記録材に対して記録を実行する場合には、排出ガイドを第二ポジションに移動させ、所定サイズにカットされた被記録材に対して記録を実行する場合には、排出ガイドを第一ポジションに移動させることが容易に実行できるようになる。
【００２１】
前記第５の態様の記録装置において、前記カット材搬送装置は、前記排出用スタッカーを支持する排出用スタッカーの下方位置に設けられる前記着脱式の給送用カセットと、前記給送用カセットから給送された被記録材を記録実行領域及び被記録材の排出部に導くカット材搬送経路と、を備えていることで以下の効果が得られる。
【００２２】
排出用スタッカーは、記録装置本体に設けられている排出用スタッカーの保持部に加えて給送用カセットによって下方より支持されているので、排出用スタッカーの保持姿勢が安定し、保持状態が強固になる。特にサイズの大きな被記録材に対して記録を実行する場合には排出用スタッカーから延長スタッカーを引き出して使用するため排出用スタッカーの姿勢が不安定になるが、同時に給送用カセットも前記サイズの大きな被記録材に合わせて手前側に伸張させて使用することにより、排出用スタッカーの保持姿勢の安定化は引き続き保たれている。
【００２３】
本発明の第６の態様は、前記第１の態様から第５の態様のいずれか１つの態様の記録装置において、前記排出用スタッカーの支持面には、支持高さが前記第一ポジションと第二ポジションの中間位置に設定され、排出方向に向って下り傾斜の固定ガイドスロープが設けられていることを特徴とするものである。
【００２４】
本態様によれば、排出用スタッカーを装着した後の誤った排出ガイドの操作によって排出ガイドを第二ポジションから第一ポジションに切り替えてしまった場合でも、固定ガイドスロープによって被記録材の支持高さは第二ポジションと第一ポジションの中間位置に保たれている。従って、ロール状に巻かれた被記録材が排出された場合でも、当該被記録材先端のカール量は最低限の量に抑えられるため、当該被記録材が丸まることによって生ずる排出不良が回避される。また、排出ガイドと固定ガイドスロープとの間に干渉回避構造を設けることによって、固定ガイドスロープに邪魔されることなく排出ガイドの円滑なポジション間の移動が可能になる。
【図面の簡単な説明】
【００２５】
【図１】本発明の実施例に係るインクジェットプリンターの外観を示す図で、オプション装置を装着しない状態で排出用スタッカーと給送用カセットとをプリンター本体にセットした状態を示す斜視図。
【図２】同上、オプション装置を装着しない状態でセットした排出用スタッカーから延長スタッカーを引き出し、セットした給送用カセットを伸張状態にしてセットし直した状態を示す斜視図。
【図３】同上、オプション装置を装着した状態でセットした排出用スタッカーから延長スタッカーを引き出し、セットした給送用カセットを伸張状態にしてセットし直した状態を示す斜視図。
【図４】本発明の実施例に係るインクジェットプリンターの内部構造の概略を示す図で、オプション装置を装着しない状態で排出用スタッカーのセット前の状態（ａ）とセット後の状態（ｂ）を対比して示す側断面図。
【図５】同上、オプション装置を装着した状態で排出用スタッカーのセット前の状態（ａ）とセット後の状態（ｂ）を対比して示す側断面図。
【図６】本発明の実施例に係る排出ガイドの作動態様を示す図で、シフトレバーの当接作用部が起動突起に当接し、倒伏姿勢のシフトレバーが回動を開始する直前の状態を示す側断面図。
【図７】同上、シフトレバーの回動が終了し、起立姿勢に移行した状態を示す側断面図。
【図８】本発明の実施例に係る排出用スタッカーを分解した状態を示す排出ガイドが第一ポジションに位置している時の斜視図。
【図９】本発明の実施例に係る排出スタッカーを組み立て、延長スタッカーを引き出した状態を示す排出ガイドが第二ポジションに位置している時の斜視図。
【図１０】本発明の実施例に係る排出用スタッカーを示す背面図。
【図１１】本発明の他の実施例に係るインクジェットプリンターの自動起立機構を示す側断面図。
【図１２】本発明の更に他の実施例に係るインクジェットプリンターの自動起立機構を示す側断面図。
【図１３】従来のインクジェットプリンターを示す図で、排出ガイドを第一ポジションに位置させた状態でロール紙を排出した場合のロール紙の排出軌跡を示す側断面図。
【図１４】従来のインクジェットプリンターを示す図で、排出ガイドを第二ポジションに移動させた状態でロール紙を排出した場合のロール紙の排出軌跡を示す側断面図。
【発明を実施するための形態】
【００２６】
以下、本発明に係る記録装置について下記の実施例を例にとって図面に基づいて具体的に説明する。最初に、本発明の記録装置を実施するための形態としてインクジェットプリンター１をとり上げて、インクジェットプリンター１の概略の構成について説明する。  
図示のインクジェットプリンター１は、ロール状に巻かれた被記録材Ｐであるロール材（以下、「ロール紙」ともいう）Ｒと、所定規格サイズにカットされた被記録材Ｐであるカット材（以下、「単票紙」ともいう）Ｃの両方の用紙Ｐに記録を実行することができるインクジェットプリンターである。  
また、図１〜図３に示すように、ハウジング３によって被覆された記録装置本体（以下、「プリンター本体」ともいう）５の前面寄りの上面中央には前面にかけて平面視のコの字状に切り欠かれた開口部７が形成されている。
【００２７】
前記開口部７の左右の壁面には、用紙Ｐの排出部９に設けられる着脱式の排出用スタッカー１１の図示しない保持構造と、同じく用紙Ｐの排出部９に設けられるオプション装置１３の図示しない保持構造とが設けられている。そして、前記開口部７の最下段に複数枚の単票紙Ｃを収容して最上位の単票紙Ｃから順番に１枚ずつ連続給送し得る給送用カセット１５が配設されている。  
この他、前記開口部７に向って右方のプリンター本体５の傾斜した上面には、各種の操作を司る操作ボタン１７と、操作内容や設定内容等を表示する表示モニター１９とを備えた操作パネル２１が取り付けられている。また、プリンター本体５の後面上部にロール紙Ｒを保持するロール材ホルダー２３が取り付けられている。
【００２８】
また、図４、図５に示すように、プリンター本体５の内部には、上述したロール紙ホルダー２３によって遊転自在に保持されているロール紙Ｒを記録実行領域２５及び前記排出部９に向けて搬送するロール材搬送装置２７が備えられている。  
前記ロール材搬送装置２７は、上述したロール材ホルダー２３と、該ロール材ホルダー２３から繰り出されたロール紙Ｒを記録実行領域２５及び前記排出部９に導くロール材搬送経路２９と、を備えることによって構成されている。そして、前記ロール材搬送経路２９は、ガイドローラー３１までの繰出し経路３３と、ガイドローラー３１以降の共通搬送経路３５と、を備えることによって構成されている。
【００２９】
また、プリンター本体５の内部には、上述した給送カセット１５から給送された単票紙Ｃを記録実行領域２５及び前記排出部９に向けて搬送するカット材搬送装置３７が備えられている。  
前記カット材搬送装置３７は、上述した給送用カセット１５と、該給送用カセット１５から給送された単票紙Ｃを記録実行領域２５及び前記排出部９に導くカット材搬送経路３９と、を備えることによって構成されている。そして、前記カット材搬送経路３９は、ピックローラー４０及び反転ローラー４１を備えた前記ガイドローラー３１までの反転経路４３と、ガイドローラー３１以降のロール材搬送経路２９と共通の共通搬送経路３５と、を具備することによって構成されている。
【００３０】
尚、前記共通搬送経路３５には、ガイドローラー３１を経て送られてきた用紙Ｐを記録実行領域２５に向けて搬送する一対のニップローラーによって構成されている搬送用ローラー４５と、記録実行領域２５の一例として上方に設けられている記録ヘッド４７と、記録実行領域２５の一例として下方に設けられている被記録材支持部（以下、「用紙支持部」ともいう）４９と、記録実行後の用紙Ｐを排出部９に向けて排出する一対のニップローラーによって構成されている２組の排出用ローラー５１、５３と、ロール紙Ｒを所定の長さにカットするためのカッター５５と、が備えられている。
【００３１】
また、前記排出用スタッカー１１には、一例として引出し式の２段の延長スタッカー５７、５９が入れ子状に収容されている。そして、排出された用紙Ｐの支持面１１ａとなる排出用スタッカー１１の上面には、排出方向Ｄに延びる一例として３本の係合溝６１、６１、６１が幅方向Ｂに適宜の間隔を空けて形成されている。  
そして、前記排出用スタッカー１１の基部側には、排出された用紙Ｐの支持高さＨを第一ポジションＨ０と、該第一ポジションＨ０より高い第二ポジションＨ１とに切り替える排出ガイド６３が備えられている。
【００３２】
また、前記排出ガイド６３は、回動軸Ｏを中心に所定角度の範囲で回動するシフトレバー６５と、一端６７ａが前記シフトレバー６５の回動自由端６５ｂに対して回動自在に接続され、他端６７ｂが前記係合溝６１に摺接して往復移動する一例として３本のガイドスロープ６７、６７、６７と、を備えることによって構成されている。  
また、前記オプション装置１３は、排出された用紙Ｐに対してオプション機能を実行する場合に装着される装置で、一例として用紙Ｐの被記録面に記録された測色用パターンから色校正用の情報を得る測色装置や測色装置用の乾燥装置等がオプション装置１３として適用可能である。
【００３３】
また、図５に示すようにオプション装置１３には前記共通搬送経路３５の下流位置にオプション機能を実行するオプション領域８３に用紙Ｐを導く送りローラー８５と、オプション機能実行後の用紙Ｐを排出するための一対のニップローラーによって構成されている排出用ローラー８７とが配置されているオプション用搬送経路８９と、前記オプション領域８３の上方に設けられているオプションヘッド９１と、前記オプション領域８３の下方に設けられるオプション支持部９３と、前記オプション支持部９３の上流位置に設けられるオプション案内部９５とが一例として備えられている。
【００３４】
［実施例１］（図１〜図１０参照）
本発明に係るインクジェットプリンター１は、前記構成に加えてプリンター本体５と排出用スタッカー１１との間に、前記排出用スタッカー１１を装着することによって第一ポジションＨ０に位置している前記排出ガイド６３を自動的に第二ポジションＨ１に移動させる自動起立機構６９が配設されている。そして、本実施例では、自動起立機構６９が前記シフトレバー６５の回動基端部６５ａに設けられている突片状の当接作用部７１と、図５に示すオプション装置１３が装着された場合の排出用スタッカー１１の装着時の移動軌跡上に配設されている起動突起７３と、を備えることによって構成されている。
【００３５】
図６、図７に拡大して示すように、起動突起７３は側面視鉤状の部材で、全面の垂直に切り落とされた面が、図６に示す倒伏姿勢のシフトレバー６５を図７に示す起立姿勢に移動させる場合に作用する回動作用部７５になっている。  
また、図１０に示すように、前記当接作用部７１と起動突起７３は、幅方向Ｂの両端寄りの部分に１組ずつ設けられている。
【００３６】
また、前記排出用スタッカー１１の保持構造には、排出用スタッカー１１の装着位置を図４に示す奥部側の第１装着位置Ｅ１と、図５に示す手前側の第２装着位置Ｅ２とに選択して使用できるように、２組の保持部７７Ａ、７７Ｂが設けられている。そして、前記起動突起７３はこのうち手前側の保持部７７Ｂに設けられている。  
尚、前記第１装着位置Ｅ１は、前記オプション装置１３を装着しないときに選択する装着位置である。この場合の排出用スタッカー１１の装着時の移動軌跡は、図４に示すように排出用スタッカー１１を装着位置の上方からセットし、前記起動突起７３の存する手前側の保持部７７Ｂを通過した位置から奥部側に水平に押し込む移動軌跡を採ることが可能になっている。
【００３７】
一方、前記第２装着位置Ｅ２は、前記オプション装置１３を装着したときに選択する装着位置であり、この場合の排出用スタッカー１１の装着時の移動軌跡は、図５に示すように排出用スタッカー１１を手前側から水平に挿し込み、そのまま奥部側に水平に押し込むという移動軌跡を採るように構成されている。  
尚、オプション装置１３を装着しないときには、上述した図４に示す移動軌跡の他に、前記図５に示す移動軌跡を採ることも可能である。
【００３８】
この他、図８に示したように、前記排出用スタッカー１１の支持面１１ａには、一例として幅方向Ｂの中央、幾分右寄りの位置に排出方向Ｄに向って下り傾斜で、基部側の最上部の支持高さＨが第一ポジションＨ０と第二ポジションＨ１の中間位置Ｈ２に設定されている一例としてリブ状の固定ガイドスロープ７９が設けられている。  
また、前記固定ガイドスロープ７９の基端部には、前記排出ガイド６３のシフトレバー６５との干渉を回避する干渉回避構造の一例である干渉回避穴８１と係合スリット８２とが設けられている。当該干渉回避穴８１と係合スリット８２とによってシフトレバー６５の剛性を高め、固定ガイドスロープ７９に邪魔されることなく、シフトレバー６５の円滑な回動を可能にしている。
【００３９】
次に、このようにして構成されるインクジェットプリンター１における排出用スタッカー１１の装着手順と、排出用スタッカー１１の装着時に作動する自動起立機構６９の作動態様と、排出ガイド６３が第二ポジションＨ１に位置しているときのロール紙Ｒの排出軌跡とについて、（１）オプション装置を装着しない場合と、（２）オプション装置を装着した場合に分けて説明する。
【００４０】
（１）オプション装置を装着しない場合（図４参照）
オプション装置１３を装着しない場合は、プリンター本体５の開口部７が大きく開口しているため、一般に図４（ａ）（ｂ）に示すような排出用スタッカー１１の装着時の移動軌跡を採る。
【００４１】
そして、この場合には、当接作用部７１が起動突起７３に当接しないため、自動起立機構６９は作動せず、第１装着位置Ｅ１に装着された排出用スタッカー１１のシフトレバー６５は手前側に倒伏した姿勢となり、ガイドスロープ６７が係合溝６１内に格納された第一ポジションＨ０に排出ガイド６３は位置している。  
従って、ロール紙Ｒに記録を実行する場合には、ガイドスロープ６７に指を掛けて手動操作で倒伏姿勢のシフトレバー６５を起立姿勢にして当該排出ガイド６３を第二ポジションＨ１に移行させる。
【００４２】
前記第二ポジションＨ１に位置する排出ガイド６３に対してロール紙Ｒが排出されると、排出用スタッカー１１の支持面１１ａに当接する前の段階で支持面１１ａ側にカール癖が生じているロール紙Ｒの先端が前記ガイドスロープ６７に当接するため、前記カール癖が幾分矯正されて、ロール紙Ｒがカール方向に丸まることによって生じる排出不良が防止される。  
一方、複数枚の単票紙Ｃに対して連続して記録を実行する場合には、前記排出ガイド６３は第一ポジションＨ０に位置させた状態にし、排出用スタッカー１１の支持面１１ａ上のスペースを広く確保できるようにする。
【００４３】
（２）オプション装置を装着した場合（図５、図６、図７参照）
オプション装置１３を装着した場合は、図５（ａ）（ｂ）に示すように排出用スタッカー１１を手前側から挿し込んでそのまま押し込むという移動軌跡を採る。  
図６に示すように、この場合には、当接作用部７１が第２装着位置Ｅ２に達すると、当接作用部７１が起動突起７３の回動作用部７５に当接してシフトレバー６５の図中、反時計回りの回動が開始される。
【００４４】
そして、図７に示すように、更に排出用スタッカー１１が奥部側に押し込まれると、当接作用部７１は起動突起７３を乗り越えて起動突起７３の奥部側に位置するようになり、シフトレバー６５は図示のように起立姿勢になって、排出ガイド６３を自動的に第二ポジションＨ１に移動させる。
【００４５】
従って、ロール紙Ｒに記録を実行する場合には、そのままの状態で記録の実行を開始すればよく、共通搬送経路３５から排出されたロール紙Ｒは、オプション案内部９５の傾斜した案内面に案内されてオプション用搬送経路８９に導かれ、送りローラー８５によってオプション支持部９３上を搬送されてオプション用搬送経路８９の下流位置に設けられている排出用ローラー８７によって、前記第二ポジションＨ１に位置する排出ガイド６３のガイドスロープ６７上に排出される。
【００４６】
また、オプション装置１３には、設置スペース等の関係で排出用ローラー８７が１組しか設けられていないため、前記オプション装置１３を装着しない場合に比べて用紙Ｐの支持力が弱くなり、ロール紙Ｒは排出用ローラー８７から排出された直後から下方に垂れ下がるようになり、丸まり易い状態になる。  
しかし、この場合でも排出用スタッカー１１の支持面１１ａに当接する前の段階でロール紙Ｒの先端が前記ガイドスロープ６７に当接されるため、前記ロール紙Ｒの垂れ下がり傾向が矯正されて、前記カール癖の影響を抑制でき、円滑な排出が実行される。
【００４７】
一方、複数枚の単票紙Ｃに対して連続して記録を実行する場合には、排出用スタッカー１１を手前側の第２装着位置Ｅ２に装着することによって操作し易すくなったガイドスロープ６７に指を掛け、手前側に引くことによって排出ガイド６３を第一ポジションＨ０に移動させ、排出用スタッカー１１の支持面１１ａ上のスペースを広く確保できるようにする。  
この他、排出ガイド６３を第二ポジションＨ１に移動させるのを忘れてロール紙Ｒへの記録の実行を開始しても、本実施例においては、排出用スタッカー１１の支持面１１ａには、上述した固定ガイドスロープ７９が設けられているためロール紙Ｒの先端部が丸まって排出不良を起こすような最悪な事態には至らないようになっている。
【００４８】
本発明に係る記録装置１は、以上述べたような構成を有することを基本とするものであるが、本願発明の要旨を逸脱しない範囲内の部分的構成の変更や省略等を行うことも勿論可能である。
【００４９】
［実施例２］（図１１）
例えば、図１１に示すインクジェットプリンター１Ａのように起動突起７３Ａを奥部側に延長形成させた形状とし、前記起動突起７３Ａの上面を固定作用部７６として機能するように構成することが可能である。そして、このような固定作用部７６設けた場合には、排出用スタッカー１１を装着した状態で排出ガイド６３を手動で操作しようとしても当接作用部７１が固定作用部７６に当接していてシフトレバー６５の回動が規制されるため、シフトレバー６５の起立姿勢が維持されて排出ガイド６３は第二ポジションＨ１に固定されるようになる。  
因みに、このような構成を採用した場合には、ロール紙Ｒ専用の記録装置１の場合に排出ガイド６３の誤操作を防止できるという作用、効果が得られる。
【００５０】
［実施例３］（図１２）
また、図１２に示すインクジェットプリンター１Ｂのように、排出用スタッカー１１の挿入位置を検出する位置センサー９７と、駆動源となる駆動モーター９８と、駆動モーター９８の回転をシフトレバー６５の回転運動に変換するシフト機構９９とを備えることによって自動起立機構６９Ｂを構成することも可能である。尚、シフト機構９９としては、図示のようなラック・ピニオン機構の他、リンク機構やカム機構あるいはこれらを組み合わせた機構等、種々の機構が採用可能である。
【００５１】
また、自動起立機構６９は、プリンター本体５と排出用スタッカー１１との間に設ける他、プリンター本体５に対して付勢される付勢部材、例えば給送用カセット１５と排出用スタッカー１１との間に設けることが可能である。
【００５２】
また、排出用スタッカー１１の保持構造には、装着位置を異にする前記２組の保持部を設ける他、例えば用紙Ｐのサイズに応じて更に多段階にあるいは連続的に装着位置を選択できるように保持部の数を増やしたり、保持部の構造を改変することが可能である。
【００５３】
この他、本発明の記録装置１には、給送用トレイにセットされた用紙Ｐを搬送するカット材搬送装置３７を設けることが可能であり、本発明の記録対象である被記録材Ｐとしては、用紙に限らず、ポリエステルフィルム等の合成樹脂フィルムや接着面に剥離紙が貼付されているラベル紙等の積層フィルム材等が適用可能である。
【符号の説明】
【００５４】
１  インクジェットプリンター（記録装置）   ３  ハウジング
５  プリンター本体（記録装置本体）         ７  開口部
９  排出部                                 １１  排出用スタッカー
１１ａ  支持面                             １３  オプション装置
１５  給送用カセット                       １７  操作ボタン
１９  表示モニター                         ２１  操作パネル
２３  ロール材ホルダー                     ２５  記録実行領域
２７  ロール材搬送装置                     ２９  ロール材搬送経路
３１  ガイドローラー                       ３３  繰出し経路
３５  共通搬送経路                         ３７  カット材搬送装置
３９  カット材搬送経路                     ４０  ピックローラー
４１  反転ローラー                         ４３  反転経路
４５  搬送用ローラー                       ４７  記録ヘッド
４９  用紙支持部（被記録材支持部）         ５１  排出用ローラー
５３  排出用ローラー                       ５５  カッター
５７  延長スタッカー                       ５９  延長スタッカー
６１  係合溝                               ６３  排出ガイド
６５  シフトレバー                         ６５ａ  回動基端部
６５ｂ  回動自由端                         ６７  ガイドスロープ
６７ａ  一端                               ６７ｂ  他端
６９  自動起立機構                         ７１  当接作用部
７３  起動突起                             ７５  回動作用部
７６  固定作用部                           ７７  保持部
７９  固定ガイドスロープ                   ８１  干渉回避穴（干渉回避構造）
８２  係合スリット（干渉回避構造）         ８３  オプション領域
８５  送りローラー                         ８７  排出用ローラー
８９  オプション用搬送経路                 ９１  オプションヘッド
９３  オプション支持部                     ９５  オプション案内部
９７  位置センサー                         ９８  駆動モーター
９９  シフト機構                           Ｐ  用紙（被記録材）
Ｒ  ロール紙（ロール材）                   Ｃ  単票紙（カット材）
Ｄ  排出方向                               Ｂ  幅方向
Ｈ  支持高さ                               Ｈ０  第一ポジション
Ｈ１  第二ポジション                       Ｈ２  中間位置
Ｏ  回動軸                                 Ｅ１  第１装着位置
Ｅ２  第２装着位置
【図１】
2011079621.tif 000003
【図２】
2011079621.tif 000004
【図３】
2011079621.tif 000005
【図４】
2011079621.tif 000006
【図５】
2011079621.tif 000007
【図６】
2011079621.tif 000008
【図７】
2011079621.tif 000009
【図８】
2011079621.tif 000010
【図９】
2011079621.tif 000011
【図１０】
2011079621.tif 000012
【図１１】
2011079621.tif 000013
【図１２】
2011079621.tif 000014
【図１３】
2011079621.tif 000015
【図１４】
2011079621.tif 000016